(57)【要約】      （修正有）【課題】樹脂製置物本体は変えずに、裏面の印刷と彫刻だけを変えて各種の記念品およびイベントの賞品に幅広く使用出来ると共に、室内に飾って置けばアクリル樹脂の透明美観を生かした装飾品とすることもできる樹脂製置物を提供する。【解決手段】前面と後面と底面とが長方形であり、両側面が鋭角三角形若しくは直角三角形である五面体の透明なアクリル樹脂材料に装飾を施した本体の後面に、前面から読めるように文字を入れたことを特徴とする樹脂製置物。【選択図】図１
0003142144.tif 000002
【実用新案登録請求の範囲】
【請求項１】
透明な合成樹脂を素材とし、前面と後面と底面とが長方形で、両側面が三角形である五面体形状であり、前面に文字及び／又は絵図を施し、後面に、前面から読める文字を記入するスペースを配備したことを特徴とする樹脂製置物。
【請求項２】
前面と後面とが縦長の長方形であることを特徴とする請求項１に記載の樹脂製置物。
【請求項３】
前記樹脂がポリメチルメタクリレートであることを特徴とする樹脂製置物。
【考案の詳細な説明】
【技術分野】
【０００１】
本考案は樹脂製置物に係り、より詳しくは、ポリメチルメタクリル樹脂材料に装飾を施して製造したポリメチルメタクリル樹脂製置物に関する。
【背景技術】
【０００２】
従来から、結婚式、お誕生日、入園、入学、卒業、入社、結婚記念日、葬儀などの各種イベントに、各種メッセージ等を書き込んだカードや祝電等を贈る習慣があった。しかし、これらは紙文化による習慣であり、贈られたカードや祝電等は一度読んだらそれきりしまい込んだり、捨てたりしてしまうことが多かった。
【０００３】
競技の勝者等に贈られる記念のトロフィーの例として、図３に示すように、競技種目などのイベント種目毎にトロフィーを製作していた無駄をなくそうとした「トロフィーとメダル」が開示されている（例えば特許文献1参照）。図３によれば、前記「トロフィーとメダル」は、枠型のパネルを嵌める枠型嵌合凹処１０１と、円形のメダルを嵌める円形嵌合凹処１０２とを、全体が中空の樹脂製のトロフィーとメダル本体１００と一体成型したものである。枠型のパネル又は円形の金属製のメダルを、それぞれ角型の嵌合凹処１０１、又は円形の嵌合凹処１０２に嵌合して、種目別、イベント別の褒賞であるトロフィー又はメダルとして使用した。
【０００４】
【特許文献１】実願２００１−８３０６号公報
【考案の開示】
【考案が解決しようとする課題】
【０００５】
しかしながら、従来の慶弔のご挨拶を表す習慣は、１度きりで後に残らないので味気ないと言う問題がある。
また、特許文献１に記載の「トロフィーとメダル」は、競技の種目あるいはイベント毎にトロフィー本体１００を作製しなくても済み、このような場合には低コストのトロフィーを提供できるが、大きさが異なるパネル又はメダルの場合には使用できないので、全体としては無駄が多くなり高コストを招いてしまうという問題があった。
【０００６】
そこで本考案は、樹脂製置物本体は変えずに、オブジェ本体の裏面の印刷と彫刻のみを変えることによって、各種の記念品およびイベントの賞品として幅広く使用出来ると共に、長く残して何時までも気持ちを伝えることが出来、更に、アクリル樹脂の透明美観を生かした装飾品として室内に飾っておくこともできる樹脂製置物を提供することを課題とする。
【課題を解決するための手段】
【０００７】
上記課題を解決するための本考案の樹脂製置物は、透明な合成樹脂を素材とし、前面と後面と底面とが長方形で、両側面が三角形若である五面体形状であり、前面に文字及び／又は絵図を施し、後面に、前面から読める文字を記入するスペースを配備したことを特徴とする。
また、請求項２の記載によれば、本考案の樹脂製置物は、前面と後面とが縦長の長方形である。
また、請求項３の記載によれば、本考案はポリメチルメタクリレート樹脂製置物である。
【考案の効果】
【０００８】
本考案の樹脂製置物は、室内に装飾品として飾って置ける高さと安定感とを有し、またガラスとは一味違ったアクリル樹脂の透明美観とがあり、例えば鳩や各種キャラクター等のシンボルマーク画像を印刷すれば美的感覚も満足できる。更に、プリズム効果を応用することにより見る角度でシンボルマーク等の像の数が増えたり減ったりするので、面白味も加えることが出来る。
また、本考案の樹脂製置物は、結婚式、誕生日、入園、入学、入社、卒業、葬儀等の慶弔用や、会社同士の交友会、学会、大学同士の研究会、スポーツの交流試合などの参加賞代わり、名刺代わりなどにも印象的な交換品として用いることが出来る。
【考案を実施するための最良の形態】
【０００９】
アクリル樹脂は耐候、耐衝撃性に優れ、透き通るような澄んだ透明感と、ガラスの冷たさとは異なる柔らかさをもった質感を与える。その透明性は無機ガラスをも凌ぐ。その透明美と軽量感が好まれて、アクリル樹脂製品が室内装飾品やアクセサリーにも多く使用されるようになった。
【００１０】
アクリル樹脂製品が室内装飾品やアクセサリーにも多く使用されるようになった契機は、アクリル樹脂又はポリカーボネート樹脂を用いたプラスチックレンズ製造技術に代表される、プラスチック光学部材の製造技術の進歩がもたらしたものである。この技術進歩によって、アクリル樹脂板を数値制御の切削機等で精密に切削加工しアクリル樹脂研磨工程で研磨して、ガラスでは真似のできない複雑でシャープ形状と高い精密性と平面性と平坦性とに仕上げることが可能となった。
又、アクリル樹脂製品は印刷、彫刻、接着などの加工が容易で、特にアクリル樹脂同士の接着は接着剤の痕が残らない溶融着が可能である。この接着性の良さと透明性とを利用して、大型水槽が作られている。
【００１１】
このような技術の進歩を利用してアクリル樹脂を精密加工することによって、従来のプラスチック製品の安直さとは異なる、高級感を持った装飾品を提供することができるようになった。
本考案は、このような技術の進歩を応用して、アクリル樹脂を精密加工して製造した樹脂製置物に関する。
以下、本考案の実施の形態について図を参照して説明する。
【００１２】
図１は本考案の実施例１に係る樹脂製置物の正面図及び側面図である。
図１（ａ）には、シンボルマーク２として前面に印刷されたネイビーブルーの複数の鳩が飛ぶ画像が例示してあるが、シンボルマークは鳩ではなくても如何なるキャラクター、画像、写真等でも構わない。文字３は裏側に彫刻又は印刷されたお祝いの言葉や、コメント、名前などの文字である。文字３の色付けは黒、青、金、銀等任意である。
【００１３】
本考案の樹脂製置物１は、図１（ｂ）に示すように、全体を透明なアクリル樹脂で成型した側面視三角形状プリズム型の樹脂製置物である。
透明とは、本発明の樹脂製置物が光を透過する性質を有することを意味し、無色透明のみでなく、有色の透明樹脂材料も含む。
本考案の樹脂製置物１は、装飾品として机や家具の上などに載置することができる。
【００１４】
図２は、図１に示す樹脂製置物を斜め上方から見た斜視図で、三角形状のプリズムによる像の変化を示したものである。
図２に示すように、本考案の樹脂製置物１は、例えば、斜め上方等から見ると、シンボルマーク２の虚像５が見え、正視した図１の場合よりもシンボルマーク２の鳩の数が増えて見える。
【図面の簡単な説明】
【００１５】
【図１】本考案の実施例１を示す樹脂製置物の正面図（ａ）及び側面図（ｂ）である。
【図２】図１に示す樹脂製置物の斜め上方からの斜視図である。
【図３】特許文献１に記載されたトロフィーとメダルの斜視図である。
【符号の説明】
【００１６】
１  樹脂製置物
２  シンボルマーク
３  裏面に記入した文字
４  底面
５  虚像
【図１】
0003142144.tif 000003
【図２】
0003142144.tif 000004
【図３】
0003142144.tif 000005